(57)【要約】【課題】  マイボトル等の普及を促進することにより、ゴミの削減を図る。【解決手段】  飲料容器、調理保管容器等の個人用容器において、容器本体５に、ＩＣタグ１を装着するとともに、該ＩＣタグ１に、現金決済を可能ならしめる決済手段を付設して、個人用容器を用いて飲料等を購入した場合、付設されているＩＣタグ１に付与されている決済手段によって、代金の決済を行うことができるようにし、ペットボトル、缶、紙コップ等を削減する。【選択図】        図２
2008287566.tif 000002
【特許請求の範囲】
【請求項１】
飲料容器、調理保管容器等の個人用容器であって、容器本体には、ＩＣタグを装着するとともに、該ＩＣタグには、現金決済を可能ならしめる決済手段を付設したことを特徴とする個人用容器。
【請求項２】
前記ＩＣタグには、ユーザの好みやアレルギーに関する情報を記憶する記憶手段を付設し、該記憶手段の記憶情報に基づいて食品や飲料を購入できるようにしたことを特徴とする請求項１記載の個人用容器。
【請求項３】
前記ＩＣタグには、利用制限を可能ならしめる規制手段を付設したことを特徴とする請求項１および２のいずれか一項記載の個人用容器。
【請求項４】
前記請求項１、２および３のいずれか一項記載の個人用容器を用いて食品や飲料を購入できるシステムを備えた自動販売装置。
【発明の詳細な説明】
【技術分野】
【０００１】
本願発明は、個人用容器および自動販売装置に関するものであり、さらに詳しくは現金決済を可能ならしめる決済手段を付設したＩＣタグを備えた個人用容器およびこのような個人用容器を用いて食品や飲料を購入できるシステムを備えた自動販売装置に関するものである。
【背景技術】
【０００２】
電気炊飯器や電気貯湯容器等の場合、製品を識別するための部品（例えば、ＪＡＮシール）が付設されている。製品識別部品としては、バーコードも多用されている。
【０００３】
例えば、電気炊飯器の場合、特許文献１にも開示されているように、製品を識別するための部品（例えば、製品識別用タグ）は、電気炊飯器を梱包する個装箱に付設されることとなっている。
【０００４】
【特許文献１】特開２００２−１１２８８８号公報。
【発明の開示】
【発明が解決しようとする課題】
【０００５】
ところが、従来の製品識別用タグは、単に製品を識別する機能のみしか有しておらず、決済方法や個人情報（例えば、個人の好み、アレルギー等）を記憶させる手段を具備していない。
【０００６】
近年、情報蓄積量の大きなＩＣチップを利用したＩＣタグ（電子荷札）の開発が進み、実用化されてきている。
【０００７】
一方、ゴミの環境問題からマイボトル等での飲料販売を検討していく上で、マイボトル等に付設されるＩＣタグに決済方法や個人情報（例えば、個人の好み、アレルギー等）を記憶させることができれば、マイボトル等の使用促進に大いに寄与すると考えられる。
【０００８】
例えば、マイボトルに現金決済機能を付与したＩＣタグを付設することで、企業向け自販機においては、マイボトルを持ち込むことで飲料を購入することができ、ペットボトル、缶、紙コップ等を削減することができるし、コンビニ、コーヒーチェーン向けとしても検討でき、こちらのゴミの削減や顧客のデータ収集、自動化ができれば省人化も図れる。また、ＩＣタグに利用者のアレルギー情報を入れておくと、購入するものと情報照合し、アレルギー物質が含まれているときは警告表示させることもできる。さらに、コーヒーショップ等では、ＩＣタグにオリジナルブレンドのレシピのデータを入力しておくと、店員に説明することなもないし、また、自動化させることも可能になる。さらにまた、好きな物（例えば、甘いものや高カロリーなもの）を制限するために一日の利用回数を制限させてユーザに注意を促すこともできる。
【０００９】
本願発明は、上記の点に鑑みてなされたもので、マイボトル等の普及を促進することにより、ゴミの削減を図ることを目的としている。
【課題を解決するための手段】
【００１０】
本願発明では、上記課題を解決するための第１の手段として、飲料容器、調理保管容器等の個人用容器において、容器本体に、ＩＣタグを装着するとともに、該ＩＣタグに、現金決済を可能ならしめる決済手段を付設している。
【００１１】
上記のように構成したことにより、個人用容器を用いて飲料等を購入した場合、付設されているＩＣタグに付与されている決済手段によって、代金の決済を行うことができることとなり、企業向け自販機においては、マイボトルを持ち込むことで飲料を購入することができ、ペットボトル、缶、紙コップ等を削減することができる。
【００１２】
本願発明では、さらに、上記課題を解決するための第２の手段として、上記第１の手段を備えた個人用容器において、前記ＩＣタグに、ユーザの好みやアレルギーに関する情報を記憶する記憶手段を付設し、該記憶手段の記憶情報に基づいて食品や飲料を購入できるようにすることもでき、そのように構成した場合、ユーザの好み（例えば、砂糖・ミルク等の好み）やアレルギーに関する情報に基づいて食品等を購入できることとなり、マイボトル等の普及により貢献するとともに、自動化等も容易となる。
【００１３】
本願発明では、さらに、上記課題を解決するための第３の手段として、上記第１又は第２の手段を備えた個人用容器において、前記ＩＣタグには、利用制限を可能ならしめる規制手段を付設することもでき、そのように構成した場合、好きな物（例えば、甘いものや高カロリーなもの）を制限するために一日の利用回数を制限させてユーザに注意を促すこともできる。
【００１４】
本願発明では、さらに、上記課題を解決するための第４の手段として、上記第１、第２又は第３の手段を備えた個人用容器を用いて食品や飲料を購入できるシステムを備えた自動販売装置を提供することもでき、そのように構成した場合、ＩＣタグを付設された個人用容器を用いて自動販売装置で飲料・食品等を購入することができることとなり、マイボトル等の普及によりより一層貢献することができる。
【発明の効果】
【００１５】
本願発明の第１の手段によれば、飲料容器、調理保管容器等の個人用容器において、容器本体に、ＩＣタグを装着するとともに、該ＩＣタグに、現金決済を可能ならしめる決済手段を付設して、個人用容器を用いて飲料等を購入した場合、付設されているＩＣタグに付与されている決済手段によって、代金の決済を行うことができるようにしたので、企業向け自販機においては、マイボトルを持ち込むことで飲料を購入することができ、ペットボトル、缶、紙コップ等を削減することができるという効果がある。
【００１６】
本願発明の第２の手段におけるように、上記第１の手段を備えた個人用容器において、前記ＩＣタグに、ユーザの好みやアレルギーに関する情報を記憶する記憶手段を付設し、該記憶手段の記憶情報に基づいて食品や飲料を購入できるようにすることもでき、そのように構成した場合、ユーザの好み（例えば、砂糖・ミルク等の好み）やアレルギーに関する情報に基づいて食品等を購入できることとなり、マイボトル等の普及により貢献するとともに、自動化等も容易となる。
【００１７】
本願発明の第３の手段におけるように、上記第１又は第２の手段を備えた個人用容器において、前記ＩＣタグには、利用制限を可能ならしめる規制手段を付設することもでき、そのように構成した場合、好きな物（例えば、甘いものや高カロリーなもの）を制限するために一日の利用回数を制限させてユーザに注意を促すこともできる。
【００１８】
本願発明の第４の手段におけるように、上記第１、第２又は第３の手段を備えた個人用容器を用いて食品や飲料を購入できるシステムを備えた自動販売装置を提供することもでき、そのように構成した場合、ＩＣタグを付設された個人用容器を用いて自動販売装置で飲料・食品等を購入することができることとなり、マイボトル等の普及によりより一層貢献することができる。
【発明を実施するための最良の形態】
【００１９】
以下、添付の図面を参照して、本願発明の幾つかの好適な実施の形態について説明する。
【００２０】
まず、以下の各実施の形態において使用されるＩＣタグおよび送受信ユニットの構成について、図１を参照して説明する。
【００２１】
個人用容器Ｍ側にセットされるＩＣタグ１は、電源回路１ｂと、無線周波数（ＲＦ）回路（ワイヤレス送受信回路）１ｃと、変調回路１ｄと、復調回路１ｅと、ＣＰＵ１ｆと、該ＣＰＵ１ｆに対して入出力可能に接続され、各種情報が記憶されるメモリ１ａとを有して構成されている。
【００２２】
前記電源回路１ｂは、蓄電池として作用するコンデンサ（図示省略）を内蔵しており、このコンデンサは、コイル型の第１の送受信アンテナ３とともに共振回路を形成している。また、このコンデンサには、第１の送受信アンテナ３が特定の周波数の電波（前述の共振回路を共振する周波数の電波）を受信したときに、その相互誘導作用により生じる電力を整流し安定化してＣＰＵ１ｆに供給し、ＩＣタグ１を活性化することとなっている。また、前記第１の送受信アンテナ３は、例えば複数枚の軟磁性アモルファス箔又は複数枚の金属箔を耐熱性樹脂又は耐熱性無機材料からなる絶縁層を介して積層してなる磁芯部材３ａと、該磁芯部材３ａの外周に巻成された耐熱性被覆導線３ｂとからなっており、耐熱性の高いものとされている。
【００２３】
また、前記メモリ１ａは、例えばＲＯＭ、ＲＡＭおよびＥＥＲＯＭを含み、ＣＰＵ１ｆの制御の下で、後述する送受信ユニット２からの送信電波のデジタル・データ通信による読み出しコマンドに応じて、前記メモリ１ａに記憶されている各種情報の読み出しを行うとともに、必要に応じて、前記送受信ユニット２からの書き込みコマンドに応じて必要なデータの書き込みを行うことができるようになっている。
【００２４】
なお、前記ＩＣタグ１および第１の送受信アンテナ３は、所定の耐熱プラスチックケース内にパッケージングされて、製品（例えば、マイボトル）の適所にセットされているが、同プラスチックケースは、例えばポリイミド、エポキシ、ポリフェニールスルフォイド又はフェノールのような耐熱性の高い合成樹脂により形成され、例えば１５０℃〜２５０℃の高温下でも使用可能となっている。
【００２５】
上記したように、各種情報のメモリ、ワイヤレス送信機能等を有して構成されたＩＣタグ１は、それに対応して読み取り器Ｙ側（あるいは／および製品の適所）に配設された送受信ユニット２とワイヤレスに送受信可能に構成されている。
【００２６】
前記送受信ユニット２は、前記ＩＣタグ１側に記憶された各種情報を読み出して、読み取り器Ｙ側（あるいは／および製品側）のマイコンに転送して入力するとともに、ＩＣタグ１側のメモリ１ａ内に必要な情報を書き込むように構成されており、前記第１の送受信アンテナ３と相互誘導作用する同じくコイル型の第２の送受信アンテナ４が受信した電波データを処理するデータ処理回路部を有する。この第２の送受信アンテナ４は、前記ＩＣタグ１側の第１の送受信アンテナ３に対して所定の電波を送信し、且つＩＣタグ１側の第１の送受信アンテナ３からの所定の電波を受信するように構成されている。また、データ処理回路部は、前記第２の送受信アンテナ４に接続されており、バッテリを内蔵する電源回路２ａと、無線周波数（ＲＦ）回路（ワイヤレス送受信回路）２ｂと、変調回路２ｃと、復調回路２ｄと、ＣＰＵ２ｅと、該ＣＰＵ２ｅに対して入出力可能に接続され、前記ＩＣタグ１のメモリ１ａから読み取った情報を記憶するメモリ２ｆとを有して構成されている。
【００２７】
前記ＩＣタグ１中のメモリ１ａに記憶された各種情報の読み出しは、前記送受信ユニット２側の第２の送受信アンテナ４から前記ＩＣタグ１側の第１の送受信アンテナ３に向けて２値化されたデジタル・データ信号を特定周波数の電波により送信することにより行われる。このデジタル・データ信号は、変調回路２ｃで変調を受け、ＲＦ回路２ｂで増幅されて第２の送受信アンテナ４から送信される。該送信された電波は、ＩＣタグ１側の第１の送受信アンテナ３により受信され、この受信時のアンテナコイル間の相互誘導作用により電源回路１ｂの蓄電用コンデンサに電力が充電される。そして、この充電電力は、電源回路１ｂからＣＰＵ１ｆに動作電力として供給され、ＩＣタグ１を活性化して、ＲＦ回路１ｃを作動させる。
【００２８】
そして、ＩＣタグ１側のＣＰＵ１ｆは、この受信信号（読み出しコマンド信号）に基づいて、前記メモリ１ａに記憶されている各種情報をデータとして送信する。この各種情報データの送信は、上記同様に２値化されたデジタル・データ信号を変調回路１ｄで変調した後、ＲＦ回路１ｃで増幅することによって第１の送受信アンテナ３から送信することにより行われる。この送信されたデジタル・データは、送受信ユニット２側の第２の送受信アンテナ４で受信され、前記データ処理回路部でデータ処理されて、読み取り器Ｙ側のマイコンに転送される。これにより、適切な固体識別が実現される。
【００２９】
また、前記送受信ユニット２側のＣＰＵ２ｅの入力ゲートには、入力装置（入力回路）２ｇが接続されており、所定の外部入力手段（例えば、読み取り器Ｙ）からの必要な追加情報が入力装置２ｇを介して入力され、ＣＰＵ２ｅ、ＲＦ回路２ｂを通してＩＣタグ１外部のメモリ１ａに書き込まれるようになっている。
【００３０】
第１の実施の形態
図２には、本願発明の第１の実施の形態にかかる個人用容器の一例である液体保温容器（以下、マイボトルという）が示されている。
【００３１】
該マイボトルＭ1は、例えばステンレス製の真空二重容器とされ、容器本体５と該容器本体５に対して開閉自在とされた蓋体６とからなっている。そして、前記容器本体５の背面上部には、前記ＩＣタグ１が付設されている。
【００３２】
前記ＩＣタグ１には、現金決済を可能ならしめる決済手段が付設されている。
【００３３】
上記構成のマイボトルＭ1を用いて、飲料を購入する際の手順について、図３のフローチャートを参照して以下に説明する。
【００３４】
初めての場合、マイボトルＭ1を専用の自動販売機に持って行き、現金チャージと必要事項入力（例えば、暗証番号、好み、量等）を入力する。
【００３５】
２回目からは、以下に説明する作業のみとなる。
【００３６】
まず、ステップＳ１において所定の飲料水選択時間が経過したか否かの判定がなされる。この飲料水選択時間とは、ユーザの所望する特定の飲料水が選択される時間のことであり、当該時間が経過する前に特定の飲料水選択がなされると、換言すれば、ステップＳ１において否定判定され、ステップＳ２において所望の飲料水選択がなされると、ステップＳ３において当該飲料水が注出される。一方、ステップＳ１において肯定判定された場合（換言すれば、特定の飲料水が選択されることなく、当該時間が経過した場合）には、ステップＳ４においてＩＣタグ１に記憶されている情報をもとに飲料水が注出されることとなる。  ついで、ステップＳ５においてＩＣタグ１にチャージされている現金が足りているか否かの判定がなされ、否定判定されると（換言すれば、不足していると判定されると）、ステップＳ６において不足分が現金投入され、ステップＳ７においてチャージされている現金からの引き落としが行われる。一方、ステップＳ５において肯定判定されると（換言すれば、足りていると判定されると）、直接ステップＳ７に進み、チャージされている現金からの引き落としが行われる。その後、ステップＳ８において特典として、現金値引きポイントの加算が行われる。
【００３７】
上記したように、本実施の形態の場合、自動販売機の注出口にマイボトルＭ1をセットするだけで、ＩＣタグ１に記憶されている飲料水とその分量が自動的に注出されることとなっているのである。しかも、購入代金は、ＩＣタグ１にチャージされた現金により決済される。つまり、企業向け自動販売機においては、マイボトルＭ1を持ち込むことで飲料を購入することができ、ペットボトル、缶、紙コップ等を削減することができる。また、コンビニ、コーヒーショップ向けとしても利用でき、この場合にも、ゴミの削減や顧客のデータ収集、自動化ができれば省人化も図れる。なお、マイボトルＭ1をセットしてから、実際の購入に際して本人確認のため、静脈確認を自動販売機側で行うようにしてもよい。また、コーヒーショップ等では、オリジナルブレンドのレシピのデータを入力しておくと、店員に説明することもないし、また、自動化させることも可能になる（自動化の場合、マイボトルＭ1をセットするだけで、ブラックコーヒー好みの人はブラックコーヒーが購入できる）。
【００３８】
ところで、本実施の形態においては、前記ＩＣタグ１に、個人情報を記憶する記憶手段と、利用制限を可能ならしめる規制手段とを付設する場合もある。
【００３９】
上記個人情報とは、ユーザの好み（砂糖・ミルクの量やコーヒーか紅茶かその他ジュース類）、購入量（１カップとか）、年齢（アルコール類の場合）、アレルギーに関する情報、カロリー制限（１日の摂取量）、マイボトルの情報（容量、保冷専用か）等のことであり、店頭や自動販売機で自動で購入できるようになっている。特に、ＩＣタグ１の記憶手段に、アレルギーに関する情報を記憶させた場合、購入するものと情報照合し、アレルギー物質が含まれているときには警告表示させるようにしてもよい。また、ＩＣタグ１に、利用制限を可能ならしめる規制手段を付設した場合、好きな飲み物（例えば、甘い物や高カロリーなもの）を制限するために一日の利用回数を制限させてユーザに注意を促すこともできる。
【００４０】
第２の実施の形態
図４には、本願発明の第２の実施の形態にかかる個人用容器の一例である携帯用保温弁当箱（以下、ランチジャーという）が示されている。
【００４１】
該ランチジャーＭ2は、容器本体７と該容器本体７に対して着脱自在とされた蓋体８とからなっている。そして、前記蓋体８の正面には、前記ＩＣタグ１が付設されている。
【００４２】
前記ＩＣタグ１には、現金決済を可能ならしめる決済手段と、個人情報を記憶する記憶手段と、利用制限を可能ならしめる規制手段とが付設されている。
【００４３】
この場合も、前述の第１の実施の形態におけると同様に、現金決済が可能となるが、記憶手段によりアレルギー情報やカロリー情報を入力しておけば、惣菜を選択したときにアレルギー物質の有無と総カロリー計算され、惣菜を購入するときの目安として使えるので安心して購入できる。
【００４４】
その他の構成および作用効果は、第１の実施の形態におけると同様なので説明を省略する。
【００４５】
ところで、本願発明の個人用容器であるマイボトルと電気ポットとの組み合わせでも、ＩＣタグ情報より給湯する量を知り得て給湯キーを押すことなく、自動で給湯させることができる。
【００４６】
また、電気ポットの製品自体に給湯履歴を残すことで、使用量や使用料の算出を可能とすることができる。
【００４７】
本願発明は、上記各実施の形態に限定されるものではなく、発明の要旨を逸脱しない範囲において適宜設計変更可能なことは勿論である。
【図面の簡単な説明】
【００４８】
【図１】本願発明の各実施の形態にかかる個人用容器に用いられるＩＣタグおよび送受信ユニットの回路構成図である。
【図２】本願発明の第１の実施の形態にかかる個人用容器の一例である液体保温容器の背面図である。
【図３】本願発明の第１の実施の形態にかかる個人用容器の一例である液体保温容器による飲料水購入の要領を示すフローチャートである。
【図４】本願発明の第２の実施の形態にかかる個人用容器の一例である携帯用保温弁当箱の正面図である。
【符号の説明】
【００４９】
１はＩＣタグ
２は送受信ユニット
３は第１の送受信アンテナ
４は第２の送受信アンテナ
５は容器本体
６は蓋体
７は容器本体
８は蓋体
Ｍは個人用容器
Ｍ1は液体保温容器（マイボトル）
Ｍ2は携帯用保温弁当箱（ランチジャー）
【図１】
2008287566.tif 000003
【図２】
2008287566.tif 000004
【図３】
2008287566.tif 000005
【図４】
2008287566.tif 000006